(57)【要約】【課題】  組立性、メンテナンス性、汎用性を向上させ、金型のコストを削減し、組立の自動化を促進する。【解決手段】  遊技機の裏箱１は、電飾部２と、基板３と、可動体４と、可動体４を駆動する駆動源５と、取付部６と、を備え、取付部６に電飾部２、基板３、可動体４及び駆動源５のいずれか１以上を取り付け、取付部６を第一取付部６ａ〜第四取付部６ｄに分割し、分割された第一取付部６ａ〜第四取付部６ｄに電飾部２、基板３、可動体４、駆動源５の少なくとも１つを取り付け、第一ユニット７ａ〜第四ユニット７ｄに構成し、複数の第一取付部６ａ〜第四取付部６ｄを第一板金８ａ〜８ｄで連結し、第一ユニット７ａ〜第四ユニット７ｄを一体化する。【選択図】        図１
2014184017.tif 000002
【特許請求の範囲】
【請求項１】
電飾部と、
基板と、
可動部と、
前記電飾部、基板、及び、可動部を取り付けた箱体と、
を備えた遊技機の裏箱において、
前記箱体を複数の取付部に分割し、前記分割された取付部に前記電飾部、基板、及び、可動部の少なくとも１つを取り付け、複数のユニットに分割し、
前記複数の取付部を複数の板金で連結することにより前記ユニットを一体化できることを特徴とする遊技機の裏箱。
【請求項２】
少なくとも前記可動部を備えたユニットが２以上ある請求項１の遊技機の裏箱。
【請求項３】
前記箱体が方形の形状であり、前記箱体が４つに分割されて、４つのユニットが形成される請求項１又は２の遊技機の裏箱。
【請求項４】
前記板金にアースを取り付ける請求項１ないし３いずれか１つの遊技機の裏箱。
【請求項５】
裏箱体の配線用の開口が分割された請求項１ないし４いずれか１つの遊技機の裏箱。
【請求項６】
請求項１ないし６のいずれかの遊技機の裏箱において、前記ユニットに前記可動部を備えた遊技機の裏箱のユニット。
【発明の詳細な説明】
【技術分野】
【０００１】
本発明は、遊技パネル等に取り付けられる遊技機の裏箱及びそのユニットに関する。
【背景技術】
【０００２】
特許文献１に示す発明は、従来技術の一例として挙げるものであり、パチンコ機１に、遊技領域を区画形成する枠状の遊技領域区画枠部材６０１と、遊技領域の後側を閉鎖する透明板状の遊技パネル５９９と、遊技パネル５９９を着脱可能に保持する枠状のパネルホルダ６００と、パネルホルダ６００の後側に取付けられ箱状で後壁に開口部を備えた裏箱１５１０、及び裏箱１５１０内の開口部１５１０ｂの外周に配置される発光装飾体１５２０を有した裏ユニット１５００と、開口部１５１０ｂｎを後側から塞ぐ液晶表示装置６４０とを備えた遊技盤４を具備させ、裏ユニット１５００における発光装飾体１５２０の少なくとも右中可動発光装飾体１５２５に、所定物を模した外形とされた第一表面形成部材１５２５ａと、少なくとも第一表面形成部材１５２５ａを裏箱内で移動させる移動機構手段１５２５ｄとを備えさせる（この欄における上記各部品番号については図示を略すので、特許文献１を参照されたい）。
【０００３】
これにより、遊技者の関心を強く引き付けて興趣が低下するのを抑制することが可能な遊技盤を備えた遊技機を提供することができる。
する。
【０００４】
【特許文献１】特開2008-264323号公報
【発明の開示】
【発明が解決しようとする課題】
【０００５】
しかしながら、従来は裏箱を一体で構成していたため、組立性、メンテナンス性、汎用性が減少し、金型がコストアップするという問題が発生していた。すなわち、裏箱の穴に配線を通したり、ひっくり返したりする配線作業が煩雑になり、組立の自動化を推進することが難しいという問題がある。
【０００６】
そこで、本発明は、組立性、メンテナンス性、汎用性を向上させ、金型のコストを削減し、組立の自動化を促進することを課題とする。
【課題を解決するための手段】
【０００７】
上記課題を鑑み、本発明はなされたものであり、電飾部と、基板と、可動部と、前記電飾部、基板、及び、可動部を取り付けた箱体と、を備えた遊技機の裏箱において、前記箱体を複数の取付部に分割し、前記分割された取付部に前記電飾部、基板、及び、可動部の少なくとも１つを取り付け、複数のユニットに分割し、前記複数の取付部を複数の板金で連結することにより前記ユニットを一体化できることを特徴とする遊技機の裏箱である。
【０００８】
ここでいう「電飾部」は、装飾体と、ＬＥＤ等を有する発光体と、を備えたものである。「基板」は「電飾部」及び／又は「可動部」等を制御するものである。「基板」には、例えば、発光制御基板、駆動制御基板、中継基板等を含んでも良い。「可動部」は「取付部」に対して相対的に移動し、遊技者の趣向性を付与するものである。移動の態様は問わない。「可動部」は、可動体とこれを駆動する駆動源（例えば、モータ等）を備えたものである。「取付部」は「電飾部」、「基板」、「可動部」の取り付けが可能な構造を備えたものであり、例えば、「電飾部」の装飾体、「可動部」の可動体には、合成樹脂成形品等が挙げられる。可動体には機構部を含む。「取付部」の形状は箱体等が挙げられる。「連結」は締結部材による板金と取付部との結合等が挙げられるが、他の連結構造でもよい。例えば、「板金」に貫通穴を設け、この穴にビスを通し、このビスを「取付部」にねじ込む構造が好ましい。
【０００９】
「裏箱」の「ユニット」への分割数は２以上の任意の整数を取り得る。「ユニット」のすべてに「可動部」を設けてもよいし、「可動部」を備えない「ユニット」があってもよい。「板金」をビスで「取付部」に締結してもよいし、ボルト・ナット等の他の締結部材でもよい。「可動部」に電飾機能を付加してもよい。「可動部」の可動体の動きは限定されず、任意に設定可能である。
【００１０】
少なくとも「可動部」を備えた「ユニット」が２以上あることが好ましい。「可動部」に合わせて複数の「ユニット」に分割する趣旨である。「可動体」を「ユニット」に分散配置する趣旨である。例えば、各「ユニット」にそれぞれ「可動部」を設けても良いし、「可動部」を設けない「ユニット」があっても良い。
【００１１】
「箱体」が方形の形状であり、「箱体」がその４つに分割されて、４つの「ユニット」が形成されることが好ましい。例えば、「箱体」の方形の角部で分割されることで構造がシンプルになる。角部からずらして分割してもよい。この場合、左側のユニットまたは右側のユニットに、下側のユニットの一部（例えば、遊技球が流下する樋、電飾部）を連結し、下側ユニットを小さくなることとしてもよく、或いは、上部の電飾部または可動部またはその一部を左側又は右側のユニットに移転してもよい。
【００１２】
「板金」に「アース」を取り付けることが好ましい。「アース」の構造や、取付作業を簡易にする趣旨である。
【００１３】
箱体の配線用の開口が分割されることが好ましい。
【００１４】
本発明には、「遊技機の裏箱」が分割された「ユニット」に「可動部」を有する遊技機の裏箱のユニットの発明が含まれる。裏箱のみならずユニットの発明としても成立する。
【発明の効果】
【００１５】
本発明によれば、裏箱を複数のユニットに分割し、板金で連結することができるので、組立性、メンテナンス性、汎用性を向上させ、金型のコストを削減し、組立の自動化を促進することができる。
【００１６】
また、可動部に合わせて複数のユニットに分割したので、組立性を一層向上させることができる。
【００１７】
前記板金にアースを取り付けることにより、アース構造の簡素化、取付作業の単純化ができる。
【００１８】
前記ユニットごとに組み付けて製造することにより、部品の共通化が促進され、製造効率、製造コストの低下を実現できる。
【図面の簡単な説明】
【００１９】
【図１】本発明の実施形態による遊技機の裏箱１の正面側から見た分解斜視図である。
【図２】同遊技機の裏箱１（電飾部、基板、可動部、駆動部を取り除いたもの）の正面側から見た正面の上方から見た斜視図である。
【図３】同実施形態による遊技機の裏箱１の背面図である。
【発明を実施するための形態】
【００２０】
本発明に係る実施形態の遊技機の裏箱１について図面を参照しつつ説明する。図１、図２に示す通り、遊技機の裏箱１は、ＬＥＤ、ＬＥＤの配線、樹脂成形体等を有する電飾部２と、ＣＰＵ、ＲＯＭ、ＲＡＭ等を有する基板３と、合成樹脂形成体を有する可動体４と、可動体４を駆動するモータ等を備えた駆動源５と、前述した電飾部２、基板３、可動体４、駆動源５のいずれか１以上が取り付けられた合成樹脂成形品からなる取付部６と、を備えている。可動体４には駆動軸等の駆動機構を含む。
【００２１】
ここでは、従来の一体成形の箱状体である裏箱を、４つの角部で分割し、半箱状体の第一取付部６ａ〜第四取付部６ｄとする。ここでは、左側の第二取付部６ｂ、第二ユニット７ｂに、遊技球が流下する樋１５と電飾部２ｂ−２を連結してもよく、この場合、角部よりも右側で分割されており、下側の第四取付部６ｄ、第四ユニット７ｄが小さくなっている。
【００２２】
このように分割された第一取付部６ａ〜第四取付部６ｄに、電飾部２、基板３、可動体４、駆動源５の少なくとも１つを取り付けて、第一ユニット７ａ〜第四ユニット７ｄに構成し、複数の第一取付部６ａ〜第四取付部６ｄを第一板金８ａ〜８ｄで連結することにより、第一ユニット７ａ〜第四ユニット７ｄを一体化できることを特徴とする。以下、詳細に説明する。
【００２３】
第一取付部６ａ〜第四取付部６ｄにはこれらを締結し一体化するための貫通穴が１つ以上形成されてもよい。図２に示す通り、第一板金８ａ〜第四板金８ｄにはこれらを締結し一体化するための貫通穴が１つ以上形成されている。遊技機の種類に応じて、電飾部２、基板３、可動体４、駆動源５、第一取付部６ａ〜第四取付部６ｄ、板金８ａ〜８ｄの形状、構造、組み合わせは、適宜、変更され得る。各種配線、コネクタ類は図示略とする。
【００２４】
図３に示す通り、裏箱１は、中央に開口部１ａを備え、配線等のための複数の開口１ｂを備えている。複数の開口１ｂは穴であってもよいし凹部であってもよい。凹部の場合には、他のユニットの凹部とで１つの穴を形成するものでもよい。つまり、従来技術の配線用の開口が分割された形態でもよいのである。なお、図３において、便宜上、異なる位置の開口１ｂにも同じ番号が付与されている。
【００２５】
図１、図２に示す通り、第一ユニット７ａは、上部に配置され横方向に延び出す第一取付部６ａと、ＬＥＤと装飾部材を有し第一取付部６ａの表面側に固定される装飾部２ａと、ＬＥＤの発光制御等を行う基板３ａと、上下に移動可能な可動体４ａと、可動体４ａを駆動する駆動源５ａ（例えばモータ）と、を備えている。
【００２６】
第二ユニット７ｂは、左側に配置され縦方向に延び出す第二取付部６ｂと、ＬＥＤと装飾部材を有し第二取付部６ｂの表面側に固定される装飾部２ｂと、遊技領域と平行な方向に、開口部１ａにおいて揺動可能に駆動する可動体４ｂと、可動体４ｂを駆動する駆動源５ｂ（例えばモータ）と、遊技球を流下させる樋と、を備えている。
【００２７】
第三ユニット７ｃは、右側に配置され縦方向に延び出す第三取付部６ｃと、ＬＥＤと装飾部材を有し第三取付部６ｃの表面側に固定される装飾部２ｃと、盤面と平行な方向に、開口部１ａにおいて揺動可能に駆動する可動体４ｃと、可動体４ｃを駆動する駆動源５ｃ（例えばモータ）と、を備えている。
【００２８】
第四ユニット７ｄは、下部に配置され横方向に延び出す第四取付部６ｄと、ＬＥＤと装飾部材を有し第四取付部６ｄの表面側に固定される装飾部２ｄと、ＬＥＤの発光制御等を行い、或いは、フォトセンサ、スイッチ類等と接続する基板３ｄと、回転駆動する可動体４ｄと、可動体４ｄを駆動する駆動源５ｄ（例えばモータ）と、主基板（図示略）と遊技盤（図示略）を接続し信号を中継する中継基板９と、を備える。
【００２９】
裏箱１は、第一取付部６ａと第二取付部６ｂの隣接する端部同士を嵌合させ、板金８ａを当て、締結部材、ビス等を板金８ａと取付部６ａ，６ｂにねじ込んで連結する構造を備える。
【００３０】
裏箱１は、第二取付部６ｂと第四取付部６ｄの隣接する端部同士を嵌合させ、板金８ｂを当て、締結部材、例えばビス等を板金８ｂと取付部６ｂ，６ｄにねじ込んで連結する構造を備える。
【００３１】
裏箱１は、第一取付部６ａと第三取付部６ｃの隣接する端部同士を嵌合させ、板金８ｃを当て、締結部材、例えばビス等を板金８ｃと取付部６ａ，６ｃにねじ込んで連結する構造を備える。
【００３２】
裏箱１は、第一取付部６ｃと第二取付部６ｄの隣接する端部同士を嵌合させ、板金８ｄを当て、締結部材、例えばビス等を板金８ｄと取付部６ｃ，６ｄにねじ込んで連結する構造を備える。
【００３３】
第一板金９ａは複数箇所で９０度に折り曲げられ、その先端も折り曲げられた形状、第二板金９ｂは複数の切欠、或いは、穴を備えた平板形状、第三板金９ｃは１箇所が９０度に折り曲げられ、その１箇所の先端が折り曲げられ、また、切欠きを有する形状、第四板金９ｄは１箇所が９０度に折り曲げられ、その１箇所の先端が折り曲げられ、また、切欠きを有する形状である。
【００３４】
さらに、図２に示す通り、第一取付部６ａには、電飾部２ａ、基板３ａ、可動体４ａを取り付けるための組付部１０が形成されている。第二取付部６ｂには、電飾部２ｂ、可動体４ｂを取り付けるための組付部１１が形成されている。第三取付部６ｃには、電飾部２ａ、可動体４ａを取り付けるための組付部１２が形成されている。第四取付部６ｄには、電飾部２ｄ、基板３ｄ、可動体４ｄを取り付けるための組付部１３が形成されている。図２において、便宜上、異なる位置の組付部１０〜１３に同じ番号が付与されている。
【００３５】
その他、裏箱１をパネル等の他の部材に取り付けるための取付部、接続端子等については、従来技術に従うので、単に図示することとし、説明は省略する。
【００３６】
裏箱１の組立について説明する。第一取付部６ａに、電飾部２ａ、基板３ａ、可動体４ａを取り付け、第一ユニット７ａを製造する。第二取付部６ｂに、電飾部２ｂ、可動体４ｂを取り付け、第二ユニット７ｂを製造する。第三取付部６ｃに、電飾部２ａ、可動体４ａを取り付け、第三ユニット７ｃを製造する。第四取付部６ｄに、電飾部２ｄ、基板３ｄ、可動体４ｄを取り付け、第四ユニット７ｄを製造する。そして、第１ユニット７ａ〜第四ユニット７ｄを第一板金８ａ〜８ｄを用いて、それぞれ連結すると、裏箱１が完成する。裏箱１は、ロボット等を全部又は一部に利用することにより、全自動、または一部自動の組み付けが可能である。そして、組み上がった裏箱１の表側を遊技パネル等に取り付け、裏箱１の裏側に液晶表示部を取り付けることで、裏箱１の遊技機への組み付けを行う。
【００３７】
図２に示す通り、遊技中は、主基板の遊技プログラムに従って、可動体４ａは矢印Ａの通りに動き、可動体４ｂは矢印Ｂの通りに動き、可動体４ｃは矢印Ｃの通りに動き、可動体４ｄは矢印Ｄの通りに動く。また、電飾部４ａ〜４ｄは主基板のプログラムに従って、発光する。遊技球の動きは従来技術に従うので、説明は略す。
【００３８】
本実施形態の裏箱１によれば、４つの第一ユニット７ａ〜第四ユニット７ｄに分割して製造でき、第一板金８ａ〜第四板金８ｄで第一取付部６ａ〜第四取付部６ｄを連結することにより、第１ユニット７ａ〜第四ユニット７ｄを連結して一体化できるので、配線の取付作業等が容易で、裏箱１の組立の際の生産性に優れている。
【００３９】
また、裏箱１の点検、修理等において、ビスを外して、第一ユニット７ａ〜第四ユニット７ｄに分離することにより、定期点検、部品交換等、メンテナンスが極めて容易になる。
【００４０】
また、第一ユニット７ａ〜第四ユニット７ｄの全部又は一部を共通化することで、汎用性を向上させ、生産性が向上する。遊技機の機種変更の際に、製造工程や組付作業を簡略化できる。
【００４１】
また、第一ユニット７ａ〜第四ユニット７ｄに分割して小型化したので、金型のコストを削減することができる。
【００４２】
さらに、ロボット等を利用して、第一ユニット７ａ〜第四ユニット７ｄのそれぞれの組立、或いは、それらの連結の全部又は一部の自動化を促進することができ、工業的利用価値は大である。
【００４３】
第一可動体４ａ〜第四可動体４ｄに合わせて、それぞれ、４つの第一ユニット７ａ〜７ｄに分割したので、組立性を一層向上させることができる第一可動体４ａ〜第四可動体４ｄは複雑な形状をしたものが多く、組立作業の迅速化に寄与する。
【００４４】
第一板金８ａ〜第四板金８ｄのいずれかにアースを取り付けることにより、アースの構造や取付作業が簡略できる。
【００４５】
第１取付部６ａ〜第四取付部６ｄに開口１ｂが備えられているので、配線作業が一層容易になる。
【００４６】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。また、実施形態でいう各種部品には本発明の必須要件とならないものが含まれている。
【００４７】
例えば、上記実施形態において、裏箱１を４つのユニットに分割したが、これに限らず、分割数は２以上の任意の数を選択できる。第一ユニット〜第四ユニット７ａ〜７ｄのすべてに可動体４ａ〜４ｄを設けたが、可動部のないユニットがあってもよい。板金８ａ〜８ｄをビスで取付部６ａ〜６ｄに締結したが、ボルト・ナット等の他の締結部材でもよい。電飾部２、基板３、可動体４、駆動源５、取付部６ａ〜６ｄ、又は、板金８ａ〜８ｄの数、形状、又は、構造は図示に限らない。可動体４ａ〜４ｄに電飾機能を付加してもよい。
【符号の説明】
【００４８】
１・・・遊技機の裏箱
１ａ・・・開口部
１ｂ・・・開口
２，２ａ〜２ｄ・・・電飾部
３，３ａ，３ｄ・・・基板
４，４ａ〜４ｄ・・・可動部
５ａ〜５ｄ・・・駆動部
６ａ〜６ｄ・・・第一取付部〜第四取付部
７ａ〜７ｄ・・・第一ユニット〜第四ユニット
８ａ〜８ｄ・・・第一板金〜第四板金
９・・・中継基板
１０〜１３・・・組付部
１５・・・樋
【図１】
2014184017.tif 000003
【図２】
2014184017.tif 000004
【図３】
2014184017.tif 000005